(57)【特許請求の範囲】
【請求項１】
画像を読み取り、該画像に基づく画像データを生成する画像読取部と、
前記画像データを記憶する記憶部と、
複数の機能から実行される２以上の機能の選択、及び選択された２以上の機能毎の設定データを含むオペレータ指示の入力を受け付ける入力部と、
前記記憶部に記憶された画像データに対し、前記選択された２以上の機能に応じた処理を実行する処理部と、
前記記憶部に記憶された画像データを、前記選択された２以上の機能毎に、前記設定データに従って変換し、変換後の画像データを生成する画像変換部と、
外部記憶装置が接続される外部メモリインタフェース部と、
ネットワークに接続されるネットワークインタフェース部と、
前記画像読取部、前記記憶部、前記入力部、及び前記処理部を制御し、前記入力部による設定データの入力の受け付けが完了する前に、前記画像読取部による画像の読み取りを開始するとともに、前記入力部が前記外部記憶装置を前記外部メモリインタフェース部に後で装着することの入力を受け付けた場合に、前記変換後の画像データを前記記憶部に記憶させる統括制御部とを有し、
前記入力部は、前記外部記憶装置を前記外部メモリインタフェース部に後で装着することの入力を受け付けた場合には、通信アドレスの入力を受け付け、
前記統括制御部は、前記選択された２以上の機能毎の設定データの入力前は、前記画像読取部に、読み取り可能な最も高い精度で、前記画像の読み取りを行わせ、前記選択された２以上の機能毎の設定データの入力後は、前記画像読取部に、前記選択された２以上の機能毎に入力された設定データに含まれる設定の中で、最も高い精度の設定を用いて、前記画像の読み取りを行わせるとともに、前記画像変換部が前記変換後の画像データの生成を完了した後に、前記ネットワークインタフェース部を介して、前記通信アドレスをあて先として、準備完了を通知する情報を送信し、
前記処理部は、前記外部メモリインタフェース部に前記外部記憶装置が装着された後に、前記記憶部に記憶された前記変換後の画像データを前記外部記憶装置に記憶すること
を特徴とする画像処理装置。
【請求項２】
前記統括制御部は、前記入力部による設定データの入力の受け付けを開始する前に、前記画像読取部による画像の読み取りを開始すること
を特徴とする請求項１に記載の画像処理装置。
【請求項３】
前記統括制御部は、前記画像読取部による画像の読み取りと並行して、前記入力部による設定データの入力の受け付けを行うこと
を特徴とする請求項１又は２に記載の画像処理装置。
【請求項４】
前記画像の読み取りは、解像度が高いほど、高い精度であること
を特徴とする請求項１に記載の画像処理装置。
【請求項５】
前記画像の読み取りは、色数が多いほど、高い精度であること
を特徴とする請求項１に記載の画像処理装置。
【請求項６】
前記画像の読み取りは、解像度が高く且つ色数が多いほど、高い精度であること
を特徴とする請求項１に記載の画像処理装置。
【請求項７】
前記設定データには、解像度が含まれており、
前記画像変換部は、前記記憶部に記憶されている画像データの解像度を、前記設定データに含まれている解像度に変換すること
を特徴とする請求項１に記載の画像処理装置。
【請求項８】
前記設定データには、色数が含まれており、
前記画像変換部は、前記記憶部に記憶されている画像データの色数を、前記設定データに含まれている色数に変換すること
を特徴とする請求項１に記載の画像処理装置。
【請求項９】
画像を読み取り、該画像に基づく画像データを生成する画像読取部と、
前記画像データを記憶する記憶部と、
機能の実行に関する設定データを含むオペレータ指示の入力を受け付ける入力部と、
前記記憶部に記憶された画像データに対し、前記機能に応じた処理を実行する処理部と、
前記記憶部に記憶された画像データを、前記設定データに従って変換し、変換後の画像データを生成する画像変換部と、
外部記憶装置が接続される外部メモリインタフェース部と、
ネットワークに接続されるネットワークインタフェース部と、
前記画像読取部、前記記憶部、前記入力部、及び前記処理部を制御し、前記入力部による設定データの入力の受け付けが完了する前に、前記画像読取部による画像の読み取りを開始するとともに、前記入力部が前記外部記憶装置を前記外部メモリインタフェース部に後で装着することの入力を受け付けた場合に、前記変換後の画像データを前記記憶部に記憶させる統括制御部とを有し、
前記入力部は、前記外部記憶装置を前記外部メモリインタフェース部に後で装着することの入力を受け付けた場合には、通信アドレスの入力を受け付け、
前記統括制御部は、前記画像変換部が前記変換後の画像データの生成を完了した後に、前記ネットワークインタフェース部を介して、前記通信アドレスをあて先として、準備完了を通知する情報を送信し、
前記処理部は、前記外部メモリインタフェース部に前記外部記憶装置が装着された後に、前記記憶部に記憶された前記変換後の画像データを前記外部記憶装置に記憶すること
を特徴とする画像処理装置。
【発明の詳細な説明】
【技術分野】
【０００１】
本発明は、原稿画像の読み取りによって生成された画像データを処理する画像処理装置に関する。
【背景技術】
【０００２】
特許文献１には、画像を読み取る画像読取部で生成された画像データを画像記憶部に記憶し、この画像データを複写機能、スキャナ機能、及びファクシミリ機能で利用することにより、画像の読み取りを一度行うだけで、二つ以上の機能を実行することができる画像形成装置が記載されている。
【先行技術文献】
【特許文献】
【０００３】
【特許文献１】特開２００６−４１８９０号公報
【発明の概要】
【発明が解決しようとする課題】
【０００４】
しかしながら、特許文献１に記載の画像形成装置では、実行する機能の設定が完了した後に、画像の読み取り動作を開始するため、画像の読み取りが完了するまでに長い時間がかかっていた。
【０００５】
そこで、本発明は、画像の読み取りが完了するまでの待ち時間を短くすることを目的とする。
【課題を解決するための手段】
【０００６】
画像を読み取り、該画像に基づく画像データを生成する画像読取部と、
前記画像データを記憶する記憶部と、
複数の機能から実行される２以上の機能の選択、及び選択された２以上の機能毎の設定データを含むオペレータ指示の入力を受け付ける入力部と、
前記記憶部に記憶された画像データに対し、前記選択された２以上の機能に応じた処理を実行する処理部と、
前記記憶部に記憶された画像データを、前記選択された２以上の機能毎に、前記設定データに従って変換し、変換後の画像データを生成する画像変換部と、
外部記憶装置が接続される外部メモリインタフェース部と、
ネットワークに接続されるネットワークインタフェース部と、
前記画像読取部、前記記憶部、前記入力部、及び前記処理部を制御し、前記入力部による設定データの入力の受け付けが完了する前に、前記画像読取部による画像の読み取りを開始するとともに、前記入力部が前記外部記憶装置を前記外部メモリインタフェース部に後で装着することの入力を受け付けた場合に、前記変換後の画像データを前記記憶部に記憶させる統括制御部とを有し、
前記入力部は、前記外部記憶装置を前記外部メモリインタフェース部に後で装着することの入力を受け付けた場合には、通信アドレスの入力を受け付け、
前記統括制御部は、前記選択された２以上の機能毎の設定データの入力前は、前記画像読取部に、読み取り可能な最も高い精度で、前記画像の読み取りを行わせ、前記選択された２以上の機能毎の設定データの入力後は、前記画像読取部に、前記選択された２以上の機能毎に入力された設定データに含まれる設定の中で、最も高い精度の設定を用いて、前記画像の読み取りを行わせるとともに、前記画像変換部が前記変換後の画像データの生成を完了した後に、前記ネットワークインタフェース部を介して、前記通信アドレスをあて先として、準備完了を通知する情報を送信し、
前記処理部は、前記外部メモリインタフェース部に前記外部記憶装置が装着された後に、前記記憶部に記憶された前記変換後の画像データを前記外部記憶装置に記憶すること
を特徴とする。
本発明に係る他の画像処理装置は、
画像を読み取り、該画像に基づく画像データを生成する画像読取部と、
前記画像データを記憶する記憶部と、
機能の実行に関する設定データを含むオペレータ指示の入力を受け付ける入力部と、
前記記憶部に記憶された画像データに対し、前記機能に応じた処理を実行する処理部と、
前記記憶部に記憶された画像データを、前記設定データに従って変換し、変換後の画像データを生成する画像変換部と、
外部記憶装置が接続される外部メモリインタフェース部と、
ネットワークに接続されるネットワークインタフェース部と、
前記画像読取部、前記記憶部、前記入力部、及び前記処理部を制御し、前記入力部による設定データの入力の受け付けが完了する前に、前記画像読取部による画像の読み取りを開始するとともに、前記入力部が前記外部記憶装置を前記外部メモリインタフェース部に後で装着することの入力を受け付けた場合に、前記変換後の画像データを前記記憶部に記憶させる統括制御部とを有し、
前記入力部は、前記外部記憶装置を前記外部メモリインタフェース部に後で装着することの入力を受け付けた場合には、通信アドレスの入力を受け付け、
前記統括制御部は、前記画像変換部が前記変換後の画像データの生成を完了した後に、前記ネットワークインタフェース部を介して、前記通信アドレスをあて先として、準備完了を通知する情報を送信し、
前記処理部は、前記外部メモリインタフェース部に前記外部記憶装置が装着された後に、前記記憶部に記憶された前記変換後の画像データを前記外部記憶装置に記憶すること
を特徴とする。
【発明の効果】
【０００７】
本発明によれば、画像の読み取りが完了するまでの待ち時間を短くすることができる。
【図面の簡単な説明】
【０００８】
【図１】実施の形態１に係る複合機の構成を概略的に示すブロック図である。
【図２】実施の形態１における表示操作部の一例を示す概略図である。
【図３】実施の形態１における複合機での処理を示すフローチャート（その１）である。
【図４】実施の形態１における複合機での処理を示すフローチャート（その２）である。
【図５】実施の形態１における複合機での処理を示すフローチャート（その３）である。
【図６】実施の形態１における複合機での処理を示すフローチャート（その４）である。
【図７】実施の形態１における複合機での処理を示すフローチャート（その５）である。
【図８】実施の形態１における初期機能選択画面の概略図である。
【図９】実施の形態１における機能選択画面の概略図である。
【図１０】実施の形態１におけるコピー機能の詳細設定画面を示す概略図である。
【図１１】実施の形態１における更新後の機能選択画面の概略図である。
【図１２】実施の形態１における読取設定の特定方法を説明するための概略図である。
【図１３】実施の形態２に係る複合機の構成を概略的に示すブロック図である。
【図１４】実施の形態２における複合機での処理を示すフローチャート（その１）である。
【図１５】実施の形態２における複合機での処理を示すフローチャート（その２）である。
【図１６】実施の形態２における複合機での処理を示すフローチャート（その３）である。
【図１７】実施の形態２における複合機での処理を示すフローチャート（その４）である。
【図１８】実施の形態２における複合機での処理を示すフローチャート（その５）である。
【図１９】実施の形態２における外部記憶機能の詳細設定画面を示す概略図である。
【図２０】実施の形態２における準備完了の通知先の入力受付画面の概略図である。
【発明を実施するための形態】
【０００９】
実施の形態１．
図１は、実施の形態１に係る複合機１０１の構成を概略的に示すブロック図である。複合機１０１は、表示操作部１０２と、画像読取部１０３と、ＡＤＦ（Ａｕｔｏ  Ｄｏｃｕｍｅｎｔ  Ｆｅｅｄｅｒ）１０４と、画像変換部１０５と、記憶部１０６と、印刷部１０７と、制御部１０８と、ファクシミリ部１０９と、ネットワークインタフェース部１１０と、外部メモリインタフェース部１１１とを備える。
複合機１０１は、電話網１１３を介して、電話網１１３に接続されているファクシミリ装置１１２との間で、画像データの送受信を行う。
複合機１０１は、ネットワーク１１６を介して、ＰＣ（Ｐｅｒｓｏｎａｌ  Ｃｏｍｐｕｔｅｒ）１１４又はサーバ１１５との間で、データの送受信を行う。
複合機１０１は、外部メモリインタフェース部１１１を介して、外部記憶装置としてのＵＳＢ（Ｕｎｉｖｅｒｓａｌ  Ｓｅｒｉａｌ  Ｂｕｓ）メモリ１１７に、データの書き込みを行う。
【００１０】
複合機１０１は、複数の機能を有する。例えば、複合機１０１は、コピー機能、スキャン機能、及びファクシミリ機能を有する。本実施の形態では、スキャン機能は、電子メール送信機能（スキャン  ｔｏ  Ｅｍａｉｌ）、データ送信機能（スキャン  ｔｏ  ネットワーク）、及び外部記憶機能（スキャン  ｔｏ  ＵＳＢ）を含む。
【００１１】
コピー機能は、原稿を読み取る画像読取部１０５が生成した画像データに対応する画像を印刷する機能である。電子メール送信機能は、原稿を読み取る画像読取部１０５が生成した画像データを、電子メールに添付して、当該電子メールをネットワーク１１６に送信する機能である。データ送信機能は、原稿を読み取る画像読取部１０５が生成した画像データを、ネットワーク１１６に送信する機能である。外部記憶機能は、原稿を読み取る画像読取部１０５が生成した画像データを、外部記憶装置に記憶する機能である。ファクシミリ機能は、原稿を読み取る画像読取部１０５が生成した画像データを、電話網１１３に送信する機能である。
【００１２】
表示操作部１０２は、オペレータに情報を通知する画面を表示する表示部、及びオペレータより情報の入力を受け付ける入力部である。複合機１０１の設定等のオペレータによるオペレータ指示の入力は、表示操作部１０２を介して行われる。
図２は、表示操作部１０２の一例を示す概略図である。表示操作部１０２は、タッチパネル付ＬＣＤ（Ｌｉｑｕｉｄ  Ｃｒｙｓｔａｌ  Ｄｉｓｐｌａｙ）１０２Ａと、読み取りボタン１０２Ｂとを備える。
タッチパネル付ＬＣＤ１０２Ａは、オペレータに情報を通知する画面を表示する。また、タッチパネル付ＬＣＤ１０２Ａは、オペレータから情報の入力を受け付けるためのボタン又は領域等を表示して、当該ボタン又は領域等を介して入力された情報を制御部１０８に通知する。
読取ボタン１０２Ｂは、画像読取部１０３の所定の読み取り位置又はＡＤＦ１０４の所定のセット位置に置かれた原稿の読み取りを開始する際に押下されるボタンである。
【００１３】
画像読取部１０３は、原稿を読み取り、この原稿に対応する画像データを生成する。原稿は、ＡＤＦ１０４により搬送されてもよく、また、画像読取部１０３の所定の読み取り位置（原稿台上）に置かれてもよい。
ＡＤＦ１０４は、所定のセット位置に置かれた原稿を、画像読取部１０３に搬送し、画像読取部１０３で読み取られた原稿を、所定の排出位置に排出する。
【００１４】
画像変換部１０５は、制御部１０８の指示に応じて、画像読取部１０３から出力された画像データを変換し、変換後の画像データとする。
記憶部１０６は、画像読取部１０３から出力された画像データを記憶する。また、記憶部１０６は、画像変換部１０５で変換された、変換後の画像データを記憶する。本実施の形態では、変換後の画像データは、印刷用画像データ、電子メール用画像データ、データ送信用画像データ、外部記憶用画像データ、又はファクシミリ用画像データである。
また、記憶部１０６は、各々の機能の実行に関する設定データを記憶する。ここで、設定データには、実行することが選択された機能で使用される画像データのカラー設定及び解像度設定を示す情報が含まれる。
【００１５】
印刷部１０７は、制御部１０８の指示に応じて、画像データに対応する画像を印刷する。
制御部１０８は、統括制御部１０８Ａと、ファクシミリ制御部１０８Ｂと、電子メール制御部１０８Ｃと、データ通信制御部１０８Ｄと、外部メモリ制御部１０８Ｅとを備える。
統括制御部１０８Ａは、複合機１０１における処理の全体を制御する。例えば、制御部１０８は、表示操作部１０２、画像読取部１０３、ＡＤＦ１０４、画像変換部１０５、記憶部１０６、印刷部１０７、ファクシミリ部１０９、ネットワークインタフェース部１１０、及び外部メモリインタフェース部１１１を統括して制御する。
ファクシミリ制御部１０８Ｂは、ファクシミリ部１０９を介して、ファクシミリ通信を行う。
電子メール制御部１０８Ｃは、ネットワークインタフェース部１１０を介して、電子メールの送受信を行う。
データ通信制御部１０８Ｄは、ネットワークインタフェース部１１０を介して、電子データの送受信を行う。
外部メモリ制御部１０８Ｅは、外部メモリインタフェース部１１１を介して、外部記憶装置へのデータの書込みと、外部記憶装置からのデータの読み込みを行う。
【００１６】
ファクシミリ部１０９は、電話網１１３に接続されたファクシミリ装置１１２との間で通信を行う。
ネットワークインタフェース部１１０は、ネットワーク１１６に接続されたＰＣ１１４及びサーバ１１５と通信を行う。
外部メモリインタフェース部１１１は、画像データをＵＳＢメモリ１１７に書き込む。
【００１７】
印刷部１０７、ファクシミリ制御部１０８Ｂ、電子メール制御部１０８Ｃ、データ通信制御部１０８Ｄ、及び外部メモリ制御部１０８Ｅは、複合機１０１が有する機能に応じて、画像読取部１０３で生成された画像データ、又は画像変換部１０５により変換された画像データを処理する。印刷部１０７、ファクシミリ制御部１０８Ｂ、電子メール制御部１０８Ｃ、データ通信制御部１０８Ｄ及び外部メモリ制御部１０８Ｅを処理部ともいう。
【００１８】
以上のような複合機１０１においては、統括制御部１０８Ａは、表示操作部１０２において設定データの入力の受付が完了する前に、画像読取部１０３による画像の読み取りを開始する。
【００１９】
図３から図７は、複合機１０１における処理を示すフローチャートである。ステップＳ１からＳ８は、複合機１０１のスキャン開始までの操作及び処理を示す。ステップＳ９からＳ３５は、機能選択の操作及び処理を示す。ステップＳ３６からＳ４０は、複合機１０１のスキャンの再設定及び処理を示す。ステップＳ４１からＳ５６は、機能実行のための処理を示す。
例えば、初期状態では、タッチパネル付ＬＣＤ１０２Ａに、図８に示すような初期機能選択画面ＦＳ１が表示されている。図示するように、初期機能選択画面ＦＳ１は、「コピー」ボタンＣＢと、「スキャン  ｔｏ  Ｅｍａｉｌ」ボタンＥＢと、「スキャン  ｔｏ  ネットワーク」ボタンＮＢと、「スキャン  ｔｏ  ＵＳＢ」ボタンＵＢと、「ＦＡＸ」ボタンＦＢと、「原稿をセットして読み取りボタンを押すか、機能を選択してください。」のメッセージＭＥ１と、を備える。
【００２０】
「コピー」ボタンＣＢは、オペレータがコピー機能を選択する際に押下するボタンである。「スキャン  ｔｏ  Ｅｍａｉｌ」ボタンＥＢは、オペレータが電子メール送信機能を選択する際に押下するボタンである。「スキャン  ｔｏ  ネットワーク」ボタンＮＢは、オペレータがデータ送信機能を選択する際に押下するボタンである。「スキャン  ｔｏ  ＵＳＢ」ボタンＵＢは、オペレータが外部記憶機能を選択する際に押下するボタンである。「ＦＡＸ」ボタンＦＢは、オペレータがファクシミリ機能を選択する際に押下するボタンである。
【００２１】
まず、図３のステップＳ１では、統括制御部１０８Ａは、タッチパネル付ＬＣＤ１０２Ａに表示されている機能選択ボタンが押下されたか否かを確認する。図８の例では、機能選択ボタンは、「コピー」ボタンＣＢ、「スキャン  ｔｏ  Ｅｍａｉｌ」ボタンＥＢ、「スキャン  ｔｏ  ネットワーク」ボタンＮＢ、「スキャン  ｔｏ  ＵＳＢ」ボタンＵＢ及び「ＦＡＸ」ボタンＦＢである。そして、統括制御部１０８Ａは、これらのボタンが押下された場合（ステップＳ１でＹｅｓ）には、ステップＳ２の処理に進む。
【００２２】
ステップＳ２では、統括制御部１０８Ａは、画像読取部１０３の所定の読取位置又はＡＤＦ１０４の所定のセット位置に原稿が置かれているか否かを判断する。統括制御部１０８Ａは、原稿が置かれている場合（ステップＳ２でＹｅｓ）には、ステップＳ３の処理へ進み、原稿が置かれていない場合（ステップＳ２でＮｏ）には、ステップＳ４の処理に進む。
【００２３】
ステップＳ３では、統括制御部１０８Ａは、画像読取部１０３に、原稿の読み取りを開始させる。ここでは、画像読取部１０３が原稿を読み取る読取設定は、予め定められた初期読取設定にされる。初期読取設定は、複合機１０１において、最も高い精度で原稿を読み取ることのできる読取設定とすることが望ましい。例えば、初期読取設定は、複合機１０１において、色数が最も多く、かつ、解像度が最も高くなるような設定である。本実施の形態においては、読取設定は、原稿をカラー又はモノクロのどちらで読み取るかを設定するカラー設定と、原稿を読み取る際の解像度を設定する解像度設定と、により構成されている。このため、画像読取部１０３は、画像読取部１０３で読み取ることができる設定の内、色数が最も多い「カラー」のカラー設定及び最も高い「６００ｄｐｉ」の解像度設定で画像を読み取る。
そして、画像読取部１０３は、ページ毎に、読み取りによって得られた画像データを、カラー設定及び解像度設定に対応づけて記憶部１０６に記憶させる。
以下、ステップＳ１０からステップＳ４０までの処理は、原稿の読み取りが完了するまでは、原稿の読み取り（ステップＳ３で開始）と並行して行われる。
【００２４】
一方、ステップＳ４では、統括制御部１０８Ａは、タッチパネル付ＬＣＤ１０２Ａに、原稿がないことを通知するメッセージ、例えば、「原稿がありません」のメッセージを表示させて、ステップＳ２の処理に戻る。
【００２５】
ステップＳ１において、タッチパネル付ＬＣＤ１０２Ａに表示されている機能選択ボタンが押下されない場合（ステップＳ１でＮｏ）にはステップＳ５に進む。ステップＳ５では、統括制御部１０８Ａは、読取ボタン１０２Ｂが押下されたか否かを確認する。そして、統括制御部１０８Ａは、このボタンが押下された場合（ステップＳ５でＹｅｓ）には、ステップＳ６の処理に進む。
【００２６】
ステップＳ６では、統括制御部１０８Ａは、画像読取部１０３の所定の読取位置又はＡＤＦ１０４の所定のセット位置に原稿が置かれているか否かを判断する。原稿が置かれている場合（ステップＳ６でＹｅｓ）には、ステップＳ７の処理へ進み、原稿が置かれていない場合（ステップＳ６でＮｏ）には、ステップＳ８の処理に進む。
【００２７】
ステップＳ７では、統括制御部１０８Ａは、画像読取部１０３に、所定の読取位置又は所定のセット位置に置かれた原稿の読み取りを開始させる。画像読取部１０３が原稿の画像データを読み取る読取設定は、予め定められた初期読取設定にされる。
以下、ステップＳ９からステップＳ４０までの処理は、原稿の読み取りが完了するまでは、原稿の読み取りと並行して行われる。
【００２８】
一方、ステップＳ８では、統括制御部１０８Ａは、タッチパネル付ＬＣＤ１０２Ａに、原稿がないことを通知するメッセージ、例えば、「原稿がありません」のメッセージを表示させて、ステップＳ６の処理に戻る。
【００２９】
ステップＳ９では、統括制御部１０８Ａは、タッチパネル付ＬＣＤ１０２Ａに、図９に示すような機能選択画面ＦＳ２を表示させる。図示するように、機能選択画面ＦＳ２は、「コピー」ボタンＣＢと、「スキャン  ｔｏ  Ｅｍａｉｌ」ボタンＥＢと、「スキャン  ｔｏ  ネットワーク」ボタンＮＢと、「スキャン  ｔｏ  ＵＳＢ」ボタンＵＢと、「ＦＡＸ」ボタンＦＢと、「原稿を読み取り中です。機能を選択してください。」のメッセージＭＥ２と、「読取キャンセル」ボタンＲＣＢとを備える。
「コピー」ボタンＣＢ、「スキャン  ｔｏ  Ｅｍａｉｌ」ボタンＥＢ、「スキャン  ｔｏ  ネットワーク」ボタンＮＢ、「スキャン  ｔｏ  ＵＳＢ」ボタンＵＢ及び「ＦＡＸ」ボタンＦＢは、図８に示す機能選択画面ＦＳ１における対応するボタンと同様である。
「読取キャンセル」ボタンＲＣＢは、オペレータが画像読取部１０３での原稿の読み取りをキャンセルする際に押下するボタンである。
【００３０】
ステップＳ１０では、統括制御部１０８Ａは、機能選択画面ＦＳ２において、「コピー」ボタンＣＢが押下されたか否かを判断する。統括制御部１０８Ａは、このボタンが押下された場合（ステップＳ１０でＹｅｓ）には、ステップＳ１１の処理に進む。
【００３１】
ステップＳ１１では、統括制御部１０８Ａは、タッチパネル付ＬＣＤ１０２Ａにコピー機能の詳細設定画面を表示させて、コピー機能の詳細設定の少なくとも一部の入力を受け付ける。本実施の形態においては、コピー機能の詳細設定画面では、コピー機能に関する一部の設定の入力を受け付けるようにしている。そして、コピー機能の詳細設定画面を介して入力を受け付ける設定以外の設定については、初期設定データとして、コピー機能を識別することができる情報に対応づけられて記憶部１０６に予め記憶されているものとする。
図１０は、コピー機能の詳細設定画面ＣＳを示す概略図である。図示するように、コピー機能の詳細設定画面ＣＳは、「カラー」ボタンＣＡＢと、「モノクロ」ボタンＭＯＢと、「片面」ボタンＯＳＢと、「両面」ボタンＢＳＢと、「等倍」ボタンＳＡＢと、「２ｕｐ」ボタンＣＯＢと、「他機能も使用する。」ボタンＵＥＢと、「他機能を使用しない。」ボタンＮＵＢと、「コピーの設定」のメッセージＭＥ３とを備える。
【００３２】
「カラー」ボタンＣＡＢは、オペレータがカラーコピーを選択する際に押下するボタンである。「モノクロ」ボタンＭＯＢは、オペレータがモノクロコピーを選択する際に押下するボタンである。なお、「カラー」ボタンＣＡＢ及び「モノクロ」ボタンＭＯＢは、択一的に選択されるボタンである。
【００３３】
「片面」ボタンＯＳＢは、オペレータが紙等の媒体の片面へのコピーを選択する際に押下するボタンである。「両面」ボタンＢＳＢは、オペレータが紙等の媒体の両面へのコピーを選択する際に押下するボタンである。なお、「片面」ボタンＯＳＢ及び「両面」ボタンＢＳＢは、択一的に選択されるボタンである。
【００３４】
「等倍」ボタンＳＡＢは、オペレータが原稿と同様のサイズで媒体にコピーすることを選択する際に押下するボタンである。「２ｕｐ」ボタンＣＯＢは、オペレータが原稿の画像の２頁分を、１頁の媒体にコピーすることを選択する際に押下するボタンである。なお、「等倍」ボタンＳＡＢ及び「２ｕｐ」ボタンＣＯＢは、択一的に選択されるボタンである。
【００３５】
オペレータが、「カラー」ボタンＣＡＢ、「モノクロ」ボタンＭＯＢ、「片面」ボタンＯＳＢ、「両面」ボタンＢＳＢ、「等倍」ボタンＳＡＢ及び「２ｕｐ」ボタンＣＯＢの何れかを押下すると、これらのボタンには、選択されたことを示す情報、例えばチェックマーク等が表示される。但し、本実施の形態では、予めデフォルトで初期選択設定が決められており、デフォルトの初期選択設定に対応するボタンに、選択されたことを示す情報が予め表示されている。従って、オペレータは、予め定められた初期選択設定を変更する場合に、これらのボタンを押下すればよい。そして、オペレータは、選択が完了した後に、「他機能も使用する。」ボタンＵＥＢ又は「他機能を使用しない。」ボタンＮＵＢを押下する。
【００３６】
「他機能も使用する。」ボタンＵＥＢは、オペレータが原稿の読み取りによって得られた画像データをコピー機能以外の機能でも使用することを選択する際に押下されるボタンである。「他機能を使用しない。」ボタンＮＵＢは、オペレータが原稿の読み取りによって得られた画像データをコピー機能以外の機能では使用しないことを選択する際に押下されるボタンである。ここで、「他機能も使用する。」ボタンＵＥＢ及び「他機能を使用しない。」ボタンＮＵＢは、択一的に選択されるボタンである。
統括制御部１０８Ａは、「他機能も使用する。」ボタンＵＥＢ又は「他機能を使用しない。」ボタンＮＵＢが押下されると、コピー機能の詳細設定画面ＣＳを介して入力された設定及びコピー機能に対して予め定められた設定を示す設定データを、コピー機能を識別することができる情報に対応づけて、記憶部１０６に記憶させる。ここで、コピー機能に対して予め定められた設定については、初期設定データとして、コピー機能を識別することができる情報に対応づけられて記憶部１０６に予め記憶されている。
なお、本実施の形態においては、コピー機能における解像度は予め定められているものとするが、コピー機能の詳細設定画面ＣＳに解像度を選択することができるボタンが備えられていてもよい。さらに、コピー機能の詳細設定画面において、コピー機能に関する全ての設定の入力を受け付けるようにしてもよい。
【００３７】
ステップＳ１２では、統括制御部１０８Ａは、「他の機能も使用する。」ボタンＵＥＢが押下されたか否かを判断する。「他の機能も使用する。」ボタンＵＥＢが押下された場合（ステップＳ１２でＹｅｓ）には、ステップＳ１３の処理に進む。
【００３８】
ステップＳ１３では、統括制御部１０８Ａは、タッチパネル付ＬＣＤ１０２Ａに表示されている機能選択画面を、コピー機能の設定が完了していることを示す内容の画面に更新する。
図１１は、ステップＳ１３における更新後の機能選択画面ＦＳ３の概略図である。図示するように、更新後の機能選択画面ＦＳ３は、「コピー」ボタンＣＢ１と、「スキャン  ｔｏ  Ｅｍａｉｌ」ボタンＥＢと、「スキャン  ｔｏ  ネットワーク」ボタンＮＢと、「スキャン  ｔｏ  ＵＳＢ」ボタンＵＢと、「ＦＡＸ」ボタンＦＢと、「原稿を読み取り中です。機能を選択してください。」のメッセージＭＥ２と、「読取キャンセル」ボタンＲＣＢと、「設定済」のメッセージＭＥ４とを備える。ここで、機能選択画面ＦＳ３では、「コピー」ボタンＣＢ１の表示方法の点と、「設定済」のメッセージＭＥ４がさらに表示されている点とにおいて、図９に示す機能選択画面ＦＳ２と異なっている。
機能選択画面ＦＳ３では、コピー機能が既に設定済みであること示すために、「コピー」ボタンＣＢ１の色が変更され、また、「コピー」ボタンＣＢ１に隣接した位置に「設定済」のメッセージＭＥ４が表示されている。なお、図１１では、「コピー」ボタンＣＢ１の色が変更されていることを示すために、「コピー」ボタンＣＢ１にハッチングが施されている。
そして、統括制御部１０８Ａは、ステップＳ１３での処理の後、ステップＳ１０の処理に進む。
【００３９】
ステップＳ１４では、統括制御部１０８Ａは、「他の機能を使用しない。」ボタンＮＵＢが押下されたか否かを判断する。統括制御部１０８Ａは、このボタンが押下された場合（ステップＳ１４でＹｅｓ）には、図６のステップＳ３６の処理に進む。
【００４０】
図４のステップＳ１５では、統括制御部１０８Ａは、タッチパネル付ＬＣＤ１０２Ａに表示された機能選択画面において、「スキャン  ｔｏ  Ｅｍａｉｌ」ボタンが押下されたか否かを判断する。統括制御部１０８Ａは、このボタンが押下された場合（ステップＳ１５でＹｅｓ）には、ステップＳ１６の処理に進む。
【００４１】
ステップＳ１６では、統括制御部１０８Ａは、タッチパネル付ＬＣＤ１０２Ａに電子メール送信機能の詳細設定画面を表示させて、電子メール送信機能の詳細設定の少なくとも一部の入力を受け付ける。
電子メール送信機能の詳細設定画面は、図示していないが、少なくとも、図１０に示すコピー機能の詳細設定画面ＣＳと同様に、「他機能も使用する。」ボタンと、「他機能を使用しない。」ボタンとを有する。また、電子メール送信機能の詳細設定画面は、図１０に示すコピー機能の詳細設定画面ＣＳと同様に、「カラー」ボタン及び「モノクロ」ボタンを備え、これらのボタンが択一的に選択されることにより、電子メール送信機能における色数が特定されるようにしてもよい。さらに、電子メール送信機能の詳細設定画面は、原稿を読み取る際の解像度を選択することができるボタンを備えてもよい。また、電子メール送信機能の詳細設定画面では、画像データを送信するメールアドレスの入力を受け付ける。なお、電子メール送信機能の詳細設定画面において、電子メール送信機能に関する全ての設定の入力を受け付けるようにしてもよい。
統括制御部１０８Ａは、「他機能も使用する。」ボタン又は「他機能を使用しない。」ボタンが押下されると、電子メール送信機能の詳細設定画面を介して入力された設定及び電子メール送信機能に対して予め定められた設定を示す設定データを、電子メール送信機能を識別することができる情報に対応づけて、記憶部１０６に記憶させる。ここで、電子メール送信機能に対して予め定められた設定については、初期設定データとして、電子メール送信機能を識別することができる情報に対応づけられて記憶部１０６に予め記憶されている。
【００４２】
ステップＳ１７では、統括制御部１０８Ａは、「他の機能も使用する。」ボタンが押下されたか否かを判断する。統括制御部１０８Ａは、このボタンが押下された場合（ステップＳ１７でＹｅｓ）には、ステップＳ１８の処理に進む。
【００４３】
ステップＳ１８では、統括制御部１０８Ａは、タッチパネル付ＬＣＤ１０２Ａに表示されている機能選択画面を、電子メール送信機能の設定が完了していることを示す内容の画面に更新する。例えば、統括制御部１０８Ａは、電子メール送信機能が既に設定済みであることを示すために、機能選択画面において、「スキャン  ｔｏ  Ｅｍａｉｌ」ボタンの色を変更し、また、「スキャン  ｔｏ  Ｅｍａｉｌ」ボタンに隣接した位置に「設定済」のメッセージを表示する。
そして、統括制御部１０８Ａは、ステップＳ１８での処理の後、ステップＳ１０の処理に進む。
【００４４】
ステップＳ１９では、統括制御部１０８Ａは、「他の機能を使用しない。」ボタンが押下されたか否かを判断する。統括制御部１０８Ａは、このボタンが押下された場合（ステップＳ１９でＹｅｓ）には、図６のステップＳ３６の処理に進む。
【００４５】
ステップＳ２０では、統括制御部１０８Ａは、タッチパネル付ＬＣＤ１０２Ａに表示された機能選択画面において、「スキャン  ｔｏ  ネットワーク」ボタンが押下されたか否かを判断する。統括制御部１０８Ａは、このボタンが押下された場合（ステップＳ２０でＹｅｓ）には、ステップＳ２１の処理に進む。
【００４６】
ステップＳ２１では、統括制御部１０８Ａは、タッチパネル付ＬＣＤ１０２Ａにデータ送信機能の詳細設定画面を表示させて、データ送信機能の詳細設定の少なくとも一部の入力を受け付ける。
データ送信機能の詳細設定画面は、図示していないが、少なくとも、図１０に示すコピー機能の詳細設定画面ＣＳと同様に、「他機能も使用する。」ボタンと、「他機能を使用しない。」ボタンとを有する。また、この詳細設定画面は、図１０に示すコピー機能の詳細設定画面ＣＳと同様に、「カラー」ボタン及び「モノクロ」ボタンを備え、これらのボタンが択一的に選択されることにより、データ送信機能における色数が特定されるようにしてもよい。さらに、この詳細設定画面は、原稿を読み取る際の解像度を選択することができるボタンを備えてもよい。また、データ送信機能の詳細設定画面では、画像データを送信する通信アドレスの入力を受け付ける。なお、データ送信機能の詳細設定画面において、データ送信機能に関する全ての設定の入力を受け付けるようにしてもよい。
統括制御部１０８Ａは、「他機能も使用する。」ボタン又は「他機能を使用しない。」ボタンが押下されると、データ送信機能の詳細設定画面を介して入力された設定及びデータ送信機能に対して予め定められた設定を示す設定データを、データ送信機能を識別することのできる情報に対応づけて、記憶部１０６に記憶させる。ここで、データ送信機能に対して予め定められた設定については、初期設定データとして、データ送信機能を識別することができる情報に対応づけられて記憶部１０６に予め記憶されている。
【００４７】
ステップＳ２２では、統括制御部１０８Ａは、「他の機能も使用する。」ボタンが押下されたか否かを判断する。統括制御部１０８Ａは、このボタンが押下された場合（ステップＳ２２でＹｅｓ）には、ステップＳ２３の処理に進む。
【００４８】
ステップＳ２３では、統括制御部１０８Ａは、タッチパネル付ＬＣＤ１０２Ａに表示されている機能選択画面を、データ送信機能の設定が完了していることを示す内容の画面に更新する。例えば、統括制御部１０８Ａは、データ送信機能が既に設定済みであること示すために、機能選択画面において、「スキャン  ｔｏ  ネットワーク」ボタンの色を変更し、また、「スキャン  ｔｏ  ネットワーク」ボタンに隣接した位置に「設定済」のメッセージを表示する。
そして、統括制御部１０８Ａは、ステップＳ２３での処理の後、ステップＳ１０の処理に進む。
【００４９】
ステップＳ２４では、統括制御部１０８Ａは、「他の機能を使用しない。」ボタンが押下されたか否かを判断する。統括制御部１０８Ａは、このボタンが押下された場合（ステップＳ２４でＹｅｓ）には、図６のステップＳ３６の処理に進む。
【００５０】
図５のステップＳ２５では、統括制御部１０８Ａは、タッチパネル付ＬＣＤ１０２Ａに表示された機能選択画面において、「スキャン  ｔｏ  ＵＳＢ」ボタンが押下されたか否かを判断する。統括制御部１０８Ａは、このボタンが押下された場合（ステップＳ２５でＹｅｓ）には、ステップＳ２６の処理に進む。
【００５１】
ステップＳ２６では、統括制御部１０８Ａは、タッチパネル付ＬＣＤ１０２Ａに外部記憶機能の詳細設定画面を表示させて、外部記憶機能の詳細設定の少なくとも一部の入力を受け付ける。
外部記憶機能の詳細設定画面は、図示していないが、少なくとも、図１０に示すコピー機能の詳細設定画面ＣＳと同様に、「他機能も使用する。」ボタンと、「他機能を使用しない。」ボタンとを有する。また、この詳細設定画面は、図１０に示すコピー機能の詳細設定画面ＣＳと同様に、「カラー」ボタン及び「モノクロ」ボタンを備え、これらのボタンが択一的に選択されることにより、外部記憶機能における色数が特定されるようにしてもよい。さらに、この詳細設定画面は、原稿を読み取る際の解像度を選択することができるボタンを備えてもよい。また、外部記憶機能の詳細設定画面において、外部記憶機能に関する全ての設定の入力を受け付けるようにしてもよい。
統括制御部１０８Ａは、「他機能も使用する。」ボタン又は「他機能を使用しない。」ボタンが押下されると、外部記憶機能の詳細設定画面を介して入力された設定及び外部記憶機能に対して予め定められた設定を示す設定データを、外部記憶機能を識別することができる情報に対応づけて、記憶部１０６に記憶させる。ここで、外部記憶機能に対して予め定められた設定については、初期設定データとして、外部記憶機能を識別することができる情報に対応づけられて記憶部１０６に予め記憶されている。
【００５２】
ステップＳ２７では、統括制御部１０８Ａは、「他の機能も使用する。」ボタンが押下されたか否かを判断する。統括制御部１０８Ａは、このボタンが押下された場合（ステップＳ２７でＹｅｓ）には、ステップＳ２８の処理に進む。
【００５３】
ステップＳ２８では、統括制御部１０８Ａは、タッチパネル付ＬＣＤ１０２Ａに表示されている機能選択画面を、外部記憶機能の設定が完了していることを示す内容の画面に更新する。例えば、統括制御部１０８Ａは、データ送信機能が既に設定済みであること示すために、機能選択画面において、「スキャン  ｔｏ  ＵＳＢ」ボタンの色を変更し、また、「スキャン  ｔｏ  ＵＳＢ」ボタンに隣接した位置に「設定済」のメッセージを表示する。
そして、統括制御部１０８Ａは、ステップＳ２８での処理の後、ステップＳ１０の処理に進む。
【００５４】
ステップＳ２９では、統括制御部１０８Ａは、「他の機能を使用しない。」ボタンが押下されたか否かを判断する。統括制御部１０８Ａは、このボタンが押下された場合（ステップＳ２９でＹｅｓ）には、図６のステップＳ３６の処理に進む。
【００５５】
ステップＳ３０では、統括制御部１０８Ａは、タッチパネル付ＬＣＤ１０２Ａに表示された機能選択画面において、「ＦＡＸ」ボタンが押下されたか否かを判断する。統括制御部１０８Ａは、このボタンが押下された場合（ステップＳ３０でＹｅｓ）には、ステップＳ３１の処理に進む。
【００５６】
ステップＳ３１では、統括制御部１０８Ａは、タッチパネル付ＬＣＤ１０２Ａにファクシミリ機能の詳細設定画面を表示させて、ファクシミリ機能の詳細設定の少なくとも一部の入力を受け付ける。
ファクシミリ機能の詳細設定画面は、図示していないが、少なくとも、図１０に示すコピー機能の詳細設定画面ＣＳと同様に、「他機能も使用する。」ボタンと、「他機能を使用しない。」ボタンとを有するものとする。また、この詳細設定画面は、図１０に示すコピー機能の詳細設定画面ＣＳと同様に、「カラー」ボタン及び「モノクロ」ボタンを備え、これらのボタンが択一的に選択されることにより、ファクシミリ機能における色数が特定されるようにしてもよい。さらに、この詳細設定画面は、原稿を読み取る際の解像度を選択することができるボタンを備えるようにしてもよい。さらに、ファクシミリ機能の詳細設定画面において、ファクシミリ機能に関する全ての設定の入力を受け付けるようにしてもよい。
統括制御部１０８Ａは、「他機能も使用する。」ボタン又は「他機能を使用しない。」ボタンが押下されると、ファクシミリ機能の詳細設定画面を介して入力された設定及びファクシミリ機能に対して予め定められた設定を示す設定データを、ファクシミリ機能を識別することのできる情報に対応づけて、記憶部１０６に記憶させる。ここで、ファクシミリ機能に対して予め定められた設定については、初期設定データとして、ファクシミリ機能を識別することができる情報に対応づけられて記憶部１０６に予め記憶されている。
【００５７】
ステップＳ３２では、統括制御部１０８Ａは、「他の機能も使用する。」ボタンが押下されたか否かを判断する。統括制御部１０８Ａは、このボタンが押下された場合（ステップＳ３２でＹｅｓ）には、ステップＳ３３の処理に進む。
【００５８】
ステップＳ３３では、統括制御部１０８Ａは、タッチパネル付ＬＣＤ１０２Ａに表示されている機能選択画面を、ファクシミリ機能の設定が完了していることを示す内容の画面に更新する。例えば、統括制御部１０８Ａは、ファクシミリ機能が既に設定済みであること示すために、機能選択画面において、「ＦＡＸ」ボタンの色を変更し、また、「ＦＡＸ」ボタンに隣接した位置に「設定済」のメッセージを表示する。
そして、統括制御部１０８Ａは、ステップＳ３３での処理の後、ステップＳ１０の処理に進む。
【００５９】
ステップＳ３４では、統括制御部１０８Ａは、「他の機能を使用しない。」ボタンが押下されたか否かを判断する。統括制御部１０８Ａは、このボタンが押下された場合（ステップＳ３４でＹｅｓ）には、図６のステップＳ３６の処理に進む。
【００６０】
ステップＳ３５では、統括制御部１０８Ａは、タッチパネル付ＬＣＤ１０２Ａに表示された機能選択画面において、「読取キャンセル」ボタンが押下されたか否かを判断する。統括制御部１０８Ａは、このボタンが押下された場合（ステップＳ３５でＹｅｓ）には、図３のステップＳ１の処理に戻る。
【００６１】
図６のステップＳ３６では、統括制御部１０８Ａは、画像読取部１０３が原稿の読み取りを完了したか否かを判断する。例えば、画像読取部１０３が、ＡＤＦ１０４の所定のセット位置に置かれた全ての原稿から画像データを取得した場合、又は画像読取部１０３の所定の読み取り位置に置かれた原稿から画像データを取得した場合に、統括制御部１０８Ａは、画像読取部１０３が原稿の読み取りを完了したと判断する。そして、統括制御部１０８Ａは、原稿の読み取りが完了したと判断した場合（ステップＳ３６でＹｅｓ）には、ステップＳ４１の処理に進み、原稿の読み取りが完了していないと判断した場合（ステップＳ３６でＮｏ）には、ステップＳ３７の処理に進む。
【００６２】
ステップＳ３７では、統括制御部１０８Ａは、記憶部１０６に記憶されている設定データに基づいて、画像読取部１０３における最適な読取設定を特定する。本実施の形態においては、統括制御部１０８Ａは、記憶部１０６に記憶されている設定データに含まれる設定の中で、最も高い精度となる設定、例えば、色数が最も多いカラー設定及び解像度が最も高い解像度設定を最適な読取設定とする。
図１２は、最適な読取設定の特定方法を説明するための概略図である。
図１２の行Ｌ１に示すように、画像読取部１０３は、原稿の読み取り開始時には、「カラー」のカラー設定及び「６００ｄｐｉ」の解像度設定の初期読取設定で原稿の読み取りを行う。
そして、例えば、記憶部１０６に記憶されている設定データで、図１２のＬ２からＬ４に示すように、コピー機能で「モノクロ」及び「３００ｄｐｉ」が設定され、外部記憶機能で「モノクロ」及び「３００ｄｐｉ」が設定され、ファクシミリ機能で「モノクロ」及び「１５０ｄｐｉ」が設定された場合には、統括制御部１０８Ａは、これらの設定の中で最も高い精度となる「モノクロ」及び「３００ｄｐｉ」を最適な読取設定とする。
【００６３】
ステップＳ３８では、統括制御部１０８Ａは、読取設定を変更するか否かを判断する。例えば、統括制御部１０８Ａは、初期読取設定と、ステップＳ３７で特定した最適な読取設定とが異なる場合には、読取設定を変更すると判断する。そして、統括制御部１０８Ａは、読取設定を変更すると判断した場合（ステップＳ３８でＹｅｓ）には、ステップＳ３９の処理に進み、読取設定を変更すると判断しなかった場合（ステップＳ３８でＮｏ）には、ステップＳ４０の処理に進む。
【００６４】
ステップＳ３９では、統括制御部１０８Ａは、画像読取部１０３における読取設定を最適な読取設定に変更する。例えば、統括制御部１０８Ａは、最適な読取設定を特定した読取設定変更指示を画像読取部１０３に与える。画像読取部１０３は、この読取設定変更指示を受けると、原稿の次のページから、この読取設定変更指示で特定されている最適な読取設定に従って原稿の読み取りを行う。
【００６５】
ステップＳ４０では、統括制御部１０８Ａは、画像読取部１０３が原稿の読み取りを完了したか否かを判断する。そして、統括制御部１０８Ａは、原稿の読み取りが完了したと判断した場合（ステップＳ４０でＹｅｓ）には、ステップＳ４１の処理に進む。
【００６６】
ステップＳ４１では、統括制御部１０８Ａは、図１のステップＳ１０で、コピー機能が選択されているか否かを判断する。統括制御部１０８Ａは、コピー機能が選択されている場合（ステップＳ４１でＹｅｓ）には、ステップＳ４２の処理に進む。
【００６７】
ステップＳ４２では、統括制御部１０８Ａは、記憶部１０６からコピー機能を識別することのできる情報に対応づけられて記憶されている設定データを読み出す。そして、統括制御部１０８Ａは、この設定データに含まれているカラー設定及び解像度設定を特定した変換指示を画像変換部１０５に与える。画像変換部１０５は、記憶部１０６に記憶されている画像データに対応づけられているカラー設定及び解像度設定が、変換指示で特定されているカラー設定及び解像度設定となるように、記憶部１０６に記憶されている画像データをコピー用画像データに変換する。そして、画像変換部１０５は、コピー用画像データを記憶部１０６に記憶させる。
ステップＳ４３では、印刷部１０７は、記憶部１０６に記憶されているコピー用画像データに基づいて、画像を印刷する。
【００６８】
ステップＳ４４では、統括制御部１０８Ａは、図４のステップＳ１５で、メール送信機能が選択されているか否かを判断する。統括制御部１０８Ａは、メール送信機能が選択されている場合（ステップＳ４４でＹｅｓ）には、ステップＳ４５の処理に進む。
【００６９】
ステップＳ４５では、統括制御部１０８Ａは、記憶部１０６から、メール送信機能を識別することのできる情報に対応づけられて記憶されている設定データを読み出す。そして、統括制御部１０８Ａは、この設定データに含まれているカラー設定及び解像度設定を特定した変換指示を画像変換部１０５に与える。画像変換部１０５は、記憶部１０６に記憶されている画像データに対応づけられているカラー設定及び解像度設定が、変換指示で特定されているカラー設定及び解像度設定となるように、記憶部１０６に記憶されている画像データをメール送信用画像データに変換する。そして、画像変換部１０５は、メール送信用画像データを記憶部１０６に記憶させる。
ステップＳ４６では、電子メール制御部１０８Ｃは、記憶部１０６に記憶されているメール送信用画像データを添付した電子メールを、ネットワークインタフェース部１１０を介して、設定データに含まれるメールアドレスをあて先として、送信する。
【００７０】
ステップＳ４７では、統括制御部１０８Ａは、図４のステップＳ２０で、データ送信機能が選択されているか否かを判断する。統括制御部１０８Ａは、データ送信機能が選択されている場合（ステップＳ４７でＹｅｓ）には、ステップＳ４８の処理に進む。
【００７１】
ステップＳ４８では、統括制御部１０８Ａは、記憶部１０６にデータ送信機能を識別することのできる情報に対応づけられて記憶されている設定データを読み出す。そして、統括制御部１０８Ａは、この設定データに含まれるカラー設定及び解像度設定を特定した変換指示を画像変換部１０５に与える。画像変換部１０５は、記憶部１０６に記憶されている画像データに対応づけられているカラー設定及び解像度設定が、変換指示で特定されているカラー設定及び解像度設定となるように、記憶部１０６に記憶されている画像データをデータ送信用画像データに変換する。そして、画像変換部１０５は、データ送信用画像データを記憶部１０６に記憶させる。
ステップＳ４９では、データ通信制御部１０８Ｄは、ネットワークインタフェース部１１０を介して、設定データに含まれる通信アドレスをあて先として、記憶部１０６に記憶されているデータ送信用画像データを送信する。
【００７２】
図７のステップＳ５０では、統括制御部１０８Ａは、図５のステップＳ２５で、外部記憶機能が選択されているか否かを判断する。統括制御部１０８Ａは、外部記憶機能が選択されている場合（ステップＳ５０でＹｅｓ）には、ステップＳ５１の処理に進み、外部記憶機能が選択されていない場合（ステップＳ５０でＮｏ）には、ステップＳ５３の処理に進む。
【００７３】
ステップＳ５１では、統括制御部１０８Ａは、記憶部１０６から、外部記憶機能を識別することのできる情報に対応づけられて記憶されている設定データを読み出す。そして、統括制御部１０８Ａは、この設定データに含まれるカラー設定及び解像度設定を特定した変換指示を画像変換部１０５に与える。画像変換部１０５は、記憶部１０６に記憶されている画像データに対応づけられているカラー設定及び解像度設定が、変換指示で特定されているカラー設定及び解像度設定となるように、記憶部１０６に記憶されている画像データを外部記憶用画像データに変換する。そして、画像変換部１０５は、外部記憶用画像データを記憶部１０６に記憶させる。
【００７４】
ステップＳ５２では、外部メモリ制御部１０８Ｅは、外部メモリインタフェース部１１１を介して、記憶部１０６に記憶されている外部記憶用画像データをＵＳＢメモリ１１７に記憶させる。
【００７５】
ステップＳ５３では、統括制御部１０８Ａは、図５のステップＳ３０で、ファクシミリ機能が選択されているか否かを判断する。統括制御部１０８Ａは、ファクシミリ機能が選択されている場合（ステップＳ５３でＹｅｓ）には、ステップＳ５４の処理に進む。
【００７６】
ステップＳ５４では、統括制御部１０８Ａは、記憶部１０６にファクシミリ機能を識別することのできる情報に対応づけられて記憶されている設定データを読み出す。そして、統括制御部１０８Ａは、この設定データで示されるカラー設定及び解像度設定を特定した変換指示を画像変換部１０５に与える。画像変換部１０５は、記憶部１０６に記憶されている画像データに対応づけられているカラー設定及び解像度設定が、変換指示で特定されているカラー設定及び解像度設定となるように、記憶部１０６に記憶されている画像データをファクシミリ用画像データに変換する。そして、画像変換部１０５は、ファクシミリ用画像データを記憶部１０６に記憶させる。
【００７７】
ステップＳ５５では、ファクシミリ制御部１０８Ｂは、ファクシミリ部１０９を介して、記憶部１０６に記憶されているファクシミリ用画像データを送信する。
【００７８】
ステップＳ５６では、統括制御部１０８Ａは、記憶部１０６に記憶されている画像データと、コピー用画像データ、メール送信用画像データ、データ送信用画像データ、外部記憶用画像データ及びファクシミリ用画像データとを消去させる。
このとき、統括制御部１０８Ａは、記憶部１０６に記憶されている設定データも消去させる。
【００７９】
以上のように、実施の形態１では、機能の詳細設定の入力（ステップＳ１０からＳ３４）が完了する前に、複合機１０１は、原稿の読み取りを開始する（ステップＳ３、Ｓ７）ことができるので、原稿の読み取りが完了するまでの待ち時間を短くすることができる。
特に、複合機１０１は、機能の詳細設定の入力が開始される前に、原稿の読み取りを開始することができるため、原稿の読み取りが完了するまでの待ち時間をさらに短くすることができる。
さらに、複合機１０１は、読取ボタン１０２Ｂが押下された場合には、機能の選択がされる前であっても原稿の読み取りを開始するため、原稿の読み取りが完了するまでの待ち時間を短くすることができる。
【００８０】
実施の形態２．
次に、実施の形態２に係る複合機２０１について説明する。実施の形態２では、オペレータが外部記憶機能を選択すると、複合機２０１は、オペレータに、ＵＳＢメモリ１１７を後で装着するか否かの選択を要求する。オペレータがＵＳＢメモリ１１７を後で装着することを選択すると、複合機２０１は、ＵＳＢメモリ１１７が装着されたときに、外部記憶用画像データをＵＳＢメモリ１１７に記憶させる。
図１３は、実施の形態２に係る複合機２０１の構成を概略的に示すブロック図である。複合機２０１は、表示操作部１０２と、画像読取部１０３と、ＡＤＦ１０４と、画像変換部１０５と、記憶部１０６と、印刷部１０７と、制御部２０８と、ファクシミリ部１０９と、ネットワークインタフェース部１１０と、外部メモリインタフェース部１１１と、を備える。実施の形態２に係る複合機２０１は、制御部２０８での処理において、実施の形態１に係る複合機１０１と異なっている。
【００８１】
制御部２０８は、統括制御部２０８Ａと、ファクシミリ制御部１０８Ｂと、電子メール制御部１０８Ｃと、データ通信制御部１０８Ｄと、外部メモリ制御部１０８Ｅと、を備える。実施の形態２に係る制御部２０８は、統括制御部２０８Ａでの処理において、実施の形態１に係る制御部１０８と異なっている。
【００８２】
複合機２０１での処理の全体を制御する。特に、本実施の形態における統括制御部２０８Ａは、オペレータが外部記憶機能を選択すると、オペレータに、ＵＳＢメモリ１１７を後で装着するか否かの選択を要求する処理を行う。また、統括制御部２０８Ａは、外部記憶機能において、ＵＳＢメモリ１１７を後で装着することが選択されると、ＵＳＢメモリ１１７が装着されたときに、記憶部１０６に記憶されている外部記憶用画像データをＵＳＢメモリ１１７に記憶させる。
【００８３】
図１４から図１８は、複合機２０１での処理を示すフローチャートである。なお、図１４から図１８のフローチャートにおいて、図３から図７のフローチャートと同様の処理を行うステップについては、図３から図７の符号と同じ符号を付している。
本実施の形態においても、初期状態として、表示操作部１０２のタッチパネル付ＬＣＤ１０２Ａには、図８に示すような初期機能選択画面ＦＳ１が表示されている。
【００８４】
図１４のステップＳ１から図１５のステップＳ２４の処理は、実施の形態１における図３のステップＳ１から図４のステップＳ２４の処理と同様である。
【００８５】
図１６のステップＳ２５では、統括制御部２０８Ａは、タッチパネル付ＬＣＤ１０２Ａに表示された機能選択画面において、「スキャン  ｔｏ  ＵＳＢ」ボタンが押下されたか否かを判断する。統括制御部２０８Ａは、このボタンが押下された場合（ステップＳ２５でＹｅｓ）には、ステップＳ７０の処理に進む。
【００８６】
ステップＳ７０では、統括制御部２０８Ａは、タッチパネル付ＬＣＤ１０２Ａに外部記憶機能の詳細設定画面を表示させて、外部記憶機能の詳細設定の少なくとも一部の入力を受け付ける。
図１９は、外部記憶機能の詳細設定画面ＳＳを示す概略図である。図示するように、外部記憶機能の詳細設定画面ＳＳは、「カラー」ボタンＣＡＢ２と、「モノクロ」ボタンＭＯＢ２と、「１５０ｄｐｉ」ボタンＲＳＢ１と、「３００ｄｐｉ」ボタンＲＳＢ２と、「Ｐｄｆ」ボタンＦＦＢ１と、「Ｔｉｆ」ボタンＦＦＢ２と、「メモリを後でつける」ボタンＭＥＢ１と、「メモリを挿しておく」ボタンＭＥＢ２と、「他機能も使用する。」ボタンＵＥＢ２と、「他機能を使用しない。」ボタンＮＵＢ２と、「スキャン  ｔｏ  ＵＳＢの設定」のメッセージＭＥ４とを備える。
【００８７】
「カラー」ボタンＣＡＢ２は、オペレータがカラーコピーを選択する際に押下するボタンである。「モノクロ」ボタンＭＯＢ２は、オペレータがモノクロコピーを選択する際に押下するボタンである。なお、「カラー」ボタンＣＡＢ２及び「モノクロ」ボタンＭＯＢ２は、択一的に選択されるボタンである。
【００８８】
「１５０ｄｐｉ」ボタンＲＳＢ１は、オペレータが原稿を１５０ｄｐｉの解像度で読み取ることを選択する際に押下するボタンである。「３００ｄｐｉ」ボタンＲＳＢ２は、オペレータが原稿を３００ｄｐｉの解像度で読み取ることを選択する際に押下するボタンである。なお、「１５０ｄｐｉ」ボタンＲＳＢ１及び「３００ｄｐｉ」ボタンＲＳＢ２は、択一的に選択されるボタンである。
【００８９】
「Ｐｄｆ」ボタンＦＦＢ１は、オペレータが原稿の読み取りによって得られた画像データをＰｄｆのファイル形式にすることを選択する際に押下するボタンである。「Ｔｉｆ」ボタンＦＦＢ２は、オペレータが原稿の読み取りによって得られた画像データをＴｉｆのファイル形式にすることを選択する際に押下するボタンである。なお、「Ｐｄｆ」ボタンＦＦＢ１及び「Ｔｉｆ」ボタンＦＦＢ２は、択一的に選択されるボタンである。
【００９０】
「メモリを後でつける」ボタンＭＥＢ１は、オペレータが原稿の読み取りによって得られた画像データを、外部メモリインタフェース部１１１に後で取り付けたＵＳＢメモリ１１７に記憶させることを選択する際に押下するボタンである。「メモリを挿しておく」ボタンＭＥＢ２は、オペレータが原稿の読み取りによって得られた画像データを、外部メモリインタフェース部１１１に取り付けられているＵＳＢメモリ１１７に記憶することを選択する際に押下するボタンである。
【００９１】
オペレータが、「カラー」ボタンＣＡＢ２、「モノクロ」ボタンＭＯＢ２、「１５０ｄｐｉ」ボタンＲＳＢ１、「３００ｄｐｉ」ボタンＲＳＢ２、「Ｐｄｆ」ボタンＦＦＢ１及び「Ｔｉｆ」ボタンＦＦＢ２の何れかを押下すると、これらのボタンには、選択されたことを示す情報、例えばチェックマーク等が表示される。但し、本実施の形態では、予めデフォルトで初期選択設定が決められており、デフォルトの初期選択設定に対応するボタンに、選択されたことを示す情報が予め表示されている。従って、オペレータは、予め定められた初期選択設定を変更する場合に、これらのボタンを押下すればよい。そして、オペレータは、選択が完了した後に、「他機能も使用する。」ボタンＵＥＢ２又は「他機能を使用しない。」ボタンＮＵＢ２を押下する。
【００９２】
「他機能も使用する。」ボタンＵＥＢ２は、オペレータが原稿の読み取りによって得られた画像データをコピー機能以外の機能でも使用することを選択する際に押下するボタンである。「他機能を使用しない。」ボタンＮＵＢ２は、オペレータが原稿の読み取りによって得られた画像データをコピー機能以外の機能では使用しないことを選択する際に押下するボタンである。ここで、「他機能も使用する。」ボタンＵＥＢ２及び「他機能を使用しない。」ボタンＮＵＢ２は、択一的に選択されるボタンである。統括制御部２０８Ａは、「他機能も使用する。」ボタンＵＥＢ２又は「他機能を使用しない。」ボタンＮＵＢ２が押下されると、外部記憶機能の詳細設定画面を介して入力された設定及び外部記憶機能に対して予め定められた設定を示す設定データを、外部記憶機能を識別することができる情報に対応づけて、記憶部１０６に記憶させる。
【００９３】
ステップＳ７１では、統括制御部２０８Ａは、「メモリを後でつける」ボタンが選択されたか否かを判断する。そして、統括制御部２０８Ａは、このボタンが選択された場合（ステップＳ７１でＹｅｓ）には、ステップＳ７２の処理に進み、このボタンが選択されず、「メモリを挿しておく」ボタンが選択された場合（ステップＳ７１でＮｏ）には、ステップＳ２７の処理に進む。
【００９４】
ステップＳ７２では、統括制御部２０８Ａは、タッチパネル付ＬＣＤ１０２Ａに準備完了の通知先の入力受付画面を表示させて、準備完了の通知先の入力を受け付ける。
図２０は、準備完了の通知先の入力受付画面ＥＳの概略図である。図示するように、準備完了の通知先の入力受付画面ＥＳは、「こちらへ入力」ボタンＥＮＢと、「アドレス帳」ボタンＡＥＢと、「他機能も使用する。」ボタンＵＥＢ３と、「他機能を使用しない。」ボタンＮＵＢ３とを備える。
【００９５】
「こちらへ入力」ボタンＥＮＢが押下されると、統括制御部２０８Ａは、タッチパネル付ＬＣＤ１０２Ａの表示を、図示してはいないが、文字入力画面に切り替えて、この文字入力画面を介して、外部記憶用画像データの準備が完了したことを示す通知の送信先の通信アドレスの入力を受け付ける。
「アドレス帳」ボタンＡＥＢが押下されると、統括制御部２０８Ａは、タッチパネル付ＬＣＤ１０２Ａの表示を、図示してはいないが、アドレス帳画面に切り替えて、このアドレス帳画面を介して、外部記憶用画像データの準備が完了したことを示す通知の送信先の通信アドレスの選択を受け付ける。
【００９６】
「他機能も使用する。」ボタンＵＥＢ３は、オペレータが原稿の読み取りによって得られた画像データをコピー機能以外の機能でも使用することを選択する際に押下するボタンである。「他機能を使用しない。」ボタンＮＵＢ３は、オペレータが原稿の読み取りによって得られた画像データをコピー機能以外の機能では使用しないことを選択する際に押下するボタンである。ここで、「他機能も使用する。」ボタンＵＥＢ３及び「他機能を使用しない。」ボタンＮＵＢ３は、択一的に選択されるボタンである。統括制御部２０８Ａは、これらのボタンが押下されると、外部記憶機能の詳細設定画面を介して入力された設定及び外部記憶機能に対して予め定められた設定を示す設定データ、及び準備完了の通知先の入力受付画面を介して入力された通信アドレス、を外部記憶機能を識別することのできる情報に対応づけて、記憶部１０６に記憶させる。
【００９７】
ステップＳ２７では、統括制御部２０８Ａは、「他の機能も使用する。」ボタンが押下されたか否かを判断する。統括制御部２０８Ａは、このボタンが押下された場合（ステップＳ２７でＹｅｓ）には、ステップＳ２８の処理に進む。
【００９８】
ステップＳ２８では、統括制御部２０８Ａは、タッチパネル付ＬＣＤ１０２Ａに表示されている機能選択画面を、外部記憶機能の設定が完了していることを示す内容に更新する。そして、統括制御部２０８Ａは、ステップＳ２８での処理の後、ステップＳ１０の処理に進む。
【００９９】
ステップＳ２９では、統括制御部２０８Ａは、「他の機能を使用しない。」ボタンが押下されたか否かを判断する。統括制御部２０８Ａは、このボタンが押下された場合（ステップＳ２９でＹｅｓ）には、図１７のステップＳ３６の処理に進む。
【０１００】
図１６のステップＳ３０から図１７のステップＳ４９の処理は、実施の形態１における図５のステップＳ３０から図６のステップＳ４９の処理と同様であるため、説明を省略する。
【０１０１】
図１８のステップＳ５０では、統括制御部２０８Ａは、図１６のステップＳ２５で、外部記憶機能が選択されているか否かを判断する。統括制御部２０８Ａは、外部記憶機能が選択されている場合（ステップＳ５０でＹｅｓ）には、ステップＳ５１の処理に進む。
【０１０２】
ステップＳ５１では、統括制御部２０８Ａは、記憶部１０６から、外部記憶機能を識別することのできる情報に対応づけられて記憶されている設定データを読み出す。そして、統括制御部２０８Ａは、この設定データに含まれるカラー設定及び解像度設定を特定した変換指示を画像変換部１０５に与える。画像変換部１０５は、変換指示で特定されているカラー設定及び解像度設定に従って、記憶部１０６に記憶されている画像データを外部記憶用画像データに変換する。画像変換部１０５は、外部記憶用画像データを記憶部１０６に記憶させる。
【０１０３】
ステップＳ７３では、統括制御部２０８Ａは、記憶部１０６から、外部記憶機能を識別することのできる情報に対応づけられて記憶されている設定データを読み出す。そして、統括制御部２０８Ａは、この設定データにおいて「メモリを後でつける」ことが選択されているか否かを判断する。そして、統括制御部２０８Ａは、「メモリを後でつける」ことが選択されている場合（ステップＳ７３でＹｅｓ）には、ステップＳ７４の処理に進み、「メモリを後でつける」ことが選択されていない場合（ステップＳ７３でＮｏ）には、ステップＳ５２の処理に進む。
【０１０４】
ステップＳ７４では、統括制御部２０８Ａは、記憶部１０６から、外部記憶機能を識別することのできる情報に対応づけられて記憶されている通信アドレスを読み出す。そして、統括制御部２０８Ａは、この通信アドレスをあて先として、外部記憶用画像データの準備が完了したことを示す通知を、ネットワークインタフェース部１１０を介して送信する。
【０１０５】
ステップＳ５２では、外部メモリ制御部１０８Ｅは、外部メモリインタフェース部１１１を介して、ＵＳＢメモリ１１７に外部記憶用画像データを記憶させる。
【０１０６】
図１８のステップＳ５３からＳ５５の処理は、図７のステップＳ５３からＳ５５の処理と同様である。
【０１０７】
ステップＳ７５では、統括制御部２０８Ａは、記憶部１０６から、外部記憶機能を識別することのできる情報に対応づけられて記憶されている設定データを読み出す。そして、統括制御部２０８Ａは、この設定データにおいて「メモリを後でつける」ことが選択されているか否かを判断する。そして、統括制御部２０８Ａは、「メモリを後でつける」ことが選択されている場合（ステップＳ７５でＹｅｓ）には、ステップＳ７６の処理に進み、「メモリを後でつける」ことが選択されていない場合（ステップＳ７５でＮｏ）には、ステップＳ５６の処理に進む。
【０１０８】
ステップＳ７６では、統括制御部２０８Ａは、外部メモリインタフェース部１１１にＵＳＢメモリ１１７が装着、言い換えれば、外部メモリインタフェース部１１１に対してＵＳＢメモリ１１７が書込み可能な状態にされているか否かを判断する。そして、統括制御部２０８Ａは、ＵＳＢメモリ１１７が装着されている場合（ステップＳ７６でＹｅｓ）には、ステップＳ７７に進む。
【０１０９】
ステップＳ７７では、外部メモリ制御部１０８Ｅは、外部メモリインタフェース部１１１を介して、ＵＳＢメモリ１１７に外部記憶用画像データを記憶させる。
【０１１０】
ステップＳ５６では、統括制御部２０８Ａは、記憶部１０６に記憶されている画像データと、コピー用画像データ、メール送信用画像データ、データ送信用画像データ、外部記憶用画像データ、及びファクシミリ用画像データとを消去させる。
このとき、統括制御部２０８Ａは、記憶部１０６に記憶されている設定データ及び通信アドレスも消去させる。
【０１１１】
以上のように、実施の形態２においても、機能の詳細設定の入力（ステップＳ１０からＳ３４）が完了する前に、複合機２０１は、原稿の読み取りを開始する（ステップＳ３、Ｓ７）ことができるので、原稿の読み取りが完了するまでの待ち時間を短くすることができる。
特に、複合機２０１は、機能の詳細設定の入力が開始される前に、原稿の読み取りを開始することができるため、原稿の読み取りが完了するまでの待ち時間をさらに短くすることができる。
さらに、複合機２０１は、読取ボタン１０２Ｂが押下された場合には、機能の選択がされる前であっても原稿の読み取りを開始するため、原稿の読み取りが完了するまでの待ち時間を短くすることができる。
また、実施の形態２では、オペレータが、原稿の読み取りにより得られた画像データをＵＳＢメモリ１１７へ格納することを選択した場合に、オペレータは、複合機２０１に原稿から画像を読み取らせた後、ＵＳＢメモリ１１７を装着して、読み取らせた画像に対応する画像データを記憶させることができる。このため、オペレータは、原稿から画像を読み取る際に、ＵＳＢメモリ１１７を複合機２０１に装着しておく必要がなくなり、原稿の読み取りに時間がかかるような場合には、オペレータが複合機２０１の近くにいなくても、ＵＳＢメモリ１１７の盗難等を防止することができる。
【０１１２】
実施の形態１、２では、ネットワーク１１６にＰＣやサーバが接続されている例を示したが、このような例に限定されず、他の複合機又は認証機器等の情報端末がネットワーク１１６に接続されていてもよい。
また、本発明が適用される装置として、複合機１０１、２０１を説明したが、本発明を、原稿から画像を読み取ることが可能な、単一の機能又は複数の機能を持つ装置に適用することもできる。
【０１１３】
以上に記載した実施の形態１、２では、設定データには、実行することが選択された機能で使用する画像データのカラー設定及び解像度設定を示す情報が含まれているが、カラー設定及び解像度設定の何れか一方だけでもよい。例えば、複合機１０１、２０１がカラーの画像データに対応していない場合には、設定データに解像度だけが含まれていればよい。
【０１１４】
以上に記載した実施の形態１、２では、カラー設定として、「カラー」又は「モノクロ」の何れかの設定が選択されるようになっている。この点、例えば、「カラー」を、さらに、「２５６色」、「６万５５３６色」、又は「１６７７万７２１６色」等に分けて選択することができるようにしてもよい。
【符号の説明】
【０１１５】
１０１，２０１：複合機、  １０２：表示操作部、  １０３：画像読取部、  １０４：ＡＤＦ、  １０５：画像変換部、  １０６：記憶部、  １０７：印刷部、  １０８，２０８：制御部、  １０８Ａ，２０８Ａ：統括制御部、  １０８Ｂ：ファクシミリ制御部、  １０８Ｃ：電子メール制御部、  １０８Ｄ：データ通信制御部、  １０８Ｅ：外部メモリ制御部、  １０９：ファクシミリ部、  １１０：インタフェース部、  １１１：外部メモリインタフェース部、  １１７：ＵＳＢメモリ。
【図１】
0005539110.tif 000002
【図２】
0005539110.tif 000003
【図３】
0005539110.tif 000004
【図４】
0005539110.tif 000005
【図５】
0005539110.tif 000006
【図６】
0005539110.tif 000007
【図７】
0005539110.tif 000008
【図８】
0005539110.tif 000009
【図９】
0005539110.tif 000010
【図１０】
0005539110.tif 000011
【図１１】
0005539110.tif 000012
【図１２】
0005539110.tif 000013
【図１３】
0005539110.tif 000014
【図１４】
0005539110.tif 000015
【図１５】
0005539110.tif 000016
【図１６】
0005539110.tif 000017
【図１７】
0005539110.tif 000018
【図１８】
0005539110.tif 000019
【図１９】
0005539110.tif 000020
【図２０】
0005539110.tif 000021